(57)【要約】【課題】飲料水を封入した容器の交換時、配管内に入る可能性のある雑菌を特別な部品を設けることなく簡単な構成で洗浄するとともに、洗浄した飲料水は排水せずに湯タンクに入れるようにして有料の飲料水を無駄にすることのない飲料水ディスペンサを提供する。【解決手段】飲料水が封入され水栓コック２を有する容器１を設ける。一端側が水栓コック２に接続される水ジョイント３を有し他端側が湯電磁弁４に接続される配管５を設ける。容器１の交換時、水栓コック２および湯電磁弁４を閉じ、その後、水ジョイントから水ジョイント３を外し新しい容器と交換して再度新たな容器１の水栓コック２に水ジョイント３を接続し、その後一定時間前記湯電磁弁４を開いて第２の配管内の空気に触れた飲料水を湯タンク７内に導入させる。【選択図】        図１
2004299774.tif 000002
【特許請求の範囲】
【請求項１】
飲料水が封入され水栓コックを有する容器と、一端側が前記水栓コックに接続される水ジョイントを有し他端側を湯電磁弁の入力側に接続される配管と、前記湯電磁弁の出力側に接続されヒータを有する湯タンクに給水する給水パイプとを備え、前記容器交換時、前記水栓コックおよび前記湯電磁弁を閉じ、その後、前記配管の水ジョイントを水栓コックより外し新しい容器と交換して再度新たな容器の水栓コックに前記水ジョイントを接続し、その後一定時間前記湯電磁弁を開いて前記配管内の空気に触れた飲料水を前記給水パイプを通じて前記湯タンク内に導入させるようにしたことを特徴とする飲料水ディスペンサ。
【請求項２】
リンス釦を備え、このリンス釦の操作により一定時間前記湯電磁弁を開いて配管内の空気に触れた飲料水を前記給水パイプを通じて前記湯タンク内に導入させるようにしたことを特徴とする請求項１記載の飲料水ディスペンサ。
【発明の詳細な説明】
【０００１】
【発明が属する技術分野】
本発明は、バッグインボックス型容器等に真空パックされた天然水等の飲料水を使用した飲料水ディスペンサに関する発明であり、詳しくはその飲料水ディスペンサ中の配管内の雑菌を洗浄できる飲料水ディスペンサに関する。
【０００２】
【従来の技術】
従来、天然水等のミネラルウォータを飲料水とした飲料水ディスペンサは、ミネラルウォータは殺菌作用がなく、空気に触れると空気中の雑菌を取り込み、停滞時間が長くなるほど飲料水ディスペンサ中の特に配管内で停滞した飲料水は雑菌が繁殖する可能性がある。
【０００３】
そこで、温水タンクおよび冷水タンクに配管される配管系統に殺菌用ヒータを設けてそのヒータの熱により配管系統に停滞した飲料水内の雑菌の殺菌を行うようにしたものや、温水タンクのお湯を配管系統に循環ポンプを設けて冷水タンクに強制循環させ、そのお湯の熱により冷水タンク内の雑菌の殺菌を行うものがある。（例えば、特許文献１）
【０００４】
【特許文献１】
特開平６−４８４８８号公報（第６頁、図１、図２）
【０００５】
【発明が解決しようとする課題】
しかし、このような飲料水ディスペンサは前者の殺菌用ヒータを用いるものにあっては、部品点数が増加し高価となる問題があり、また後者の温水タンクのお湯を冷水タンクに強制循環させるものにあっては、一旦お湯にした後再度冷水にもどす必要がありエネルギーロスと時間がかかり、しかも、構造が複雑になる等の問題がある。
【０００６】
本発明は、このような点に着目してなされたもので、飲料水を封入した容器の交換時、配管内に入る可能性のある雑菌を特別な部品を設けることなく簡単な構成で洗浄するとともに、洗浄した飲料水は排水せずに湯タンクに入れるようにして有料の飲料水を無駄にすることのない飲料水ディスペンサを提供することを目的とする。
【０００７】
【課題を解決するための手段】
請求項１記載の飲料水ディスペンサは、飲料水が封入され水栓コックを有する容器と、一端側が前記水栓コックに接続される水ジョイントを有し他端側を湯電磁弁の入力側に接続される配管と、前記湯電磁弁の出力側に接続されヒータを有する湯タンクに給水する給水パイプとを備え、前記容器交換時、前記水栓コックおよび前記湯電磁弁を閉じ、その後、前記配管の水ジョイントを水栓コックより外し新しい容器と交換して再度新たな容器の水栓コックに前記水ジョイントを接続し、その後一定時間前記湯電磁弁を開いて前記配管内の空気に触れた飲料水を前記給水パイプを通じて前記湯タンク内に導入させるようにしたものである。
【０００８】
そして、この構成では、新たな容器と交換時、水栓コックおよび湯電磁弁を閉じ、その後水栓コックより水ジョイントを外し新しい容器と交換して再度新たな容器の水栓コックに配管の水ジョイントを接続し、その後一定時間前記湯電磁弁を開いて湯タンク内に配管内の空気に触れた飲料水を導入させるようにしたため、配管内の空気に触れた飲料水は湯タンク内に導入され飲料水として無駄なく利用されるとともに、湯タンク内の湯の熱により殺菌され安全である。
【０００９】
請求項２記載の飲料水ディスペンサは、請求項１において、リンス釦を備え、このリンス釦の操作により一定時間湯電磁弁を開いて配管内の空気に触れた飲料水を前記給水パイプを通じて前記湯タンク内に導入させるようにしたものである。
【００１０】
そして、この構成ではリンス釦を操作することにより、配管内に貯留され空気に触れた飲料水の量に応じた一定時間のみ電磁弁が開かれ、余分の飲料水を排出することがない。また、排出された空気に触れた飲料水は湯タンクの上限水位に関係なく湯タンク内に導入され飲料水として無駄なく利用される。
【００１１】
【発明の実施の形態】
以下、本発明の飲料水ディスペンサの実施の形態を図面を参照して説明する。
【００１２】
【実施例】
図１に示すように、天然水等のミネラルウォータを封入したバッグインボックス型の容器１が上方に設けられ、この容器１に水栓コック２が取り付けられている。また、一端側が水栓コック２に接続される水ジョイント３を有し他端側が湯電磁弁４の入力側に接続される配管５が設けられている。
【００１３】
また、湯電磁弁４の出力側には給水パイプ６が接続され湯タンク７に臨んでいる。そして、この湯タンク７は容器１の下方に設けられ上限水位よりも上方に余裕をもって高く構成されている。また、容器１は下部にヒータ８と上部に上限水位以上に湯タンク７内に飲料水が入らないようにする水位センサ９と異物の侵入を防ぐ蓋１０と満水水位より若干下方の位置に出湯弁１１を有する湯パイプ１２とが設けられている。
【００１４】
また、湯タンク７の下方には冷却タンク１３が設けられている。そして、この冷水タンク１３には図示しない冷凍サイクルの凝縮機として作用し冷却タンク１３内の水を冷却する冷却パイプ１４が螺旋状に配設されている。また、配管５に分岐して冷水電磁弁１５を有した冷水パイプ１６が設けられている。そして、この冷水パイプ１６は一部を冷水タンク１３内を通過するように冷水タンク１３内の内壁に沿って設けられ冷却タンク１３内の冷却された水と熱交換し冷水弁１７を介して冷水を抽出するようになっている。
【００１５】
１８は操作部で、この操作部１８には湯タンク７内の湯を抽出する湯抽出釦２０と、冷水パイプ１６内の冷水を抽出する冷水抽出釦２１がそれぞれ設けられている。１９はリンス釦で、このリンス釦１９は容器１の交換時湯電磁弁４を一定時間開放させるもので、特定の管理者のみが操作するために一般の使用者が操作しにくい機体の内部に設けられている。
【００１６】
次に、本実施の形態の作用を説明する。
【００１７】
まず、設置時の初回に湯湯タンク７に飲料水を供給する作用について説明する。図１に示されるように配管が完了している状態から容器１の水栓コック２を手で開く。この時、湯タンク７側の水位センサ９が渇水状態を検知しているため湯電磁弁４が開放され湯タンク７内に飲料水が供給される。また、冷水電磁弁１５は閉じられており、冷水電磁弁１５側には給水されない。そして、湯タンク７側の水位は水位センサ９により上限水位以上に飲料水が供給されないように制限される。また、冷却タンク１３側の冷却用の水の供給はバケツ等により冷却タンク１３の上方開口部より水位を目視しながら行われる。
【００１８】
次に、湯タンク７内の湯を抽出する作用について説明する。湯タンク７内に給水された飲料水はヒータ８により加熱され適温に沸き上げられる。そして、この沸き上げられた湯は湯抽出釦２０を操作することにより出湯弁１１が開放され湯パイプ１２を通じて抽出される。
【００１９】
次に、冷水を抽出する作用について説明する。予め図示しない冷凍サイクルの作動により冷却タンク１３内の水が冷却される。そして、この状態で冷水抽出釦２１の操作されると冷水電磁弁１５が開放されるとともに冷水弁１７が開放し、これにより、容器１内の飲料水は冷水パイプ１６内を流通し冷却タンク１３内の冷却水との熱交換により瞬時に冷却され冷水となって抽出される。
【００２０】
次に、容器１内の飲料水が無くなり新しい容器と交換する際の交換作用について説明する。まず、新しい容器の交換に際しては図示しない電源スイッチが切られ湯電磁弁４および冷水電磁弁１５がそれぞれ閉状態となる。そして、水栓コック２を手で閉めた後、水栓コック２から水ジョイント３を外し新しい容器１と交換する。再度新たな容器１の水栓コック２に水ジョイント３を接続する。この時、水ジョイント３から空気中の雑菌が配管５に入るが湯電磁弁４および冷水電磁弁１５が閉じられているため湯電磁弁４および冷水電磁弁１５以降の配管内には雑菌の侵入が防止される。そして、その後、水栓コック２を手で開けリンス釦１９を操作して配管５内に貯留された量に応じた一定時間湯電磁弁４を強制的に開放する。配管５内の空気に触れた飲料水は湯タンク７が所定の水位以上の高さに形成されているため所定の水位を超えて湯タンク７内に導入される。
【００２１】
そして、この湯タンク７内に導入された配管５内の空気に触れた飲料水は湯タンク７内のヒータ８の加熱により熱殺菌され安全な飲料用の湯として無駄なく利用される。一方、配管５内はきれいな飲料水が導入されて洗浄され、その後、配管内は密閉状態が維持され、空気中の雑菌の侵入が防止される。
【００２２】
なお、本実施例においては、容器１を上方に配置したもので説明したが、容器１を下方に配置してポンプにより汲み上げるようにしたものにも適用される。
【００２３】
【発明の効果】
請求項１記載の飲料水ディスペンサによれば、バッグインボックス型容器の交換時、配管内に入る可能性のある雑菌を特別な部品を設けることなく簡単な構成で洗浄されるとともに、洗浄した飲料水は排水せずに湯タンクに入れるようにして有料の飲料水を無駄にすることのない飲料水ディスペンサを提供できる。
【００２４】
請求項２記載の飲料水ディスペンサによれば、リンス釦を操作することにより、配管内に貯留され空気に触れた飲料水の量に応じた時間のみ電磁弁が開かれ、余分の飲料水を排出することがない。また、排出された空気に触れた飲料水は湯タンクの上限水位に関係なく湯タンク内に導入され飲料水として無駄なく利用される。
【図面の簡単な説明】
【図１】本発明による飲料水ディスペンサの構成を示す概略図である。
【符号の説明】
１    飲料水を封入した容器
２    水栓コック
３    水ジョイント
４    湯電磁弁
５    配管
６    給水パイプ
７    湯タンク
８    ヒータ
９    水位センサ
１１    出湯弁
１２    湯パイプ
１３    冷却タンク
１４    冷却パイプ
１５    冷水電磁弁
１６    冷水パイプ
１７    冷水弁
１８    操作部
１９    リンス釦
２０    湯抽出釦
２１    冷水抽出釦
【図１】
2004299774.tif 000003